(57)【特許請求の範囲】
【請求項１】
液体が通される可撓性の送液管と、上記送液管の先端開口より大きな径を有し上記送液管の先端開口から間隔をあけてその前方に配置された流れ方向変換部材とが設けられて、
上記流れ方向変換部材は、上記送液管の先端部分の外径より大きな直径に形成されて、上記送液管の先端開口の軸線の延長線周りの全方向において均等の向きに上記先端開口に向けて配置され、上記送液管内に手元側から送り込まれた液体が、上記送液管の先端開口から噴出した後、上記流れ方向変換部材にぶつかることにより軸線周りに放射状に散布されるようにしたことを特徴とする内視鏡用散布具。
【請求項２】
上記流れ方向変換部材が、上記送液管の先端近傍の内部に固定された連結部材の先端部分に設けられている請求項１記載の内視鏡用散布具。
【請求項３】
上記送液管の先端開口に対向する上記流れ方向変換部材の裏面部分に放射状の溝が形成されている請求項１又は２記載の内視鏡用散布具。
【請求項４】
上記送液管の先端開口に対向する上記流れ方向変換部材の裏面部分が斜め前方に向いた斜面状に形成されている請求項１、２又は３記載の内視鏡用散布具。
【請求項５】
上記送液管の先端開口に対向する上記流れ方向変換部材の裏面部分が斜め前方に向いた凹曲面状に形成されている請求項１、２又は３記載の内視鏡用散布具。
【請求項６】
上記送液管の先端開口に対向する上記流れ方向変換部材の裏面部分が斜め前方に向いた凸曲面状に形成されている請求項１、２又は３記載の内視鏡用散布具。
【請求項７】
上記送液管が一本の可撓性チューブである請求項１ないし６のいずれかの項に記載の内視鏡用散布具。
【請求項８】
上記送液管が、可撓性チューブの先端部分に筒状部材を連結して形成されている請求項１ないし６のいずれかの項に記載の内視鏡用散布具。
【請求項９】
上記送液管の先端開口と上記流れ方向変換部材との間の間隔を上記送液管の手元側から遠隔的に調整するための間隔調整手段が設けられている請求項１ないし８のいずれかの項に記載の内視鏡用散布具。
【発明の詳細な説明】
【０００１】
【発明の属する技術分野】
この発明は、体腔内に液体を散布するために内視鏡の処置具挿通チャンネルに挿通して使用される内視鏡用散布具に関する。
【０００２】
【従来の技術】
図１２は従来の内視鏡用散布具を示しており、内視鏡の処置具挿通チャンネルに挿脱される可撓性の送液管９１の先端開口部に、外周面に螺旋溝９３が形成されたスクリュー体９２が配置されている。
【０００３】
そして、螺旋溝９３の外面を塞ぐ状態にスクリュー体９２に被せられた先端キャップ９４の内側には、送液管９１から螺旋溝９３を通ってその先端から放出された液体が軸線周りに回転をするように、スクリュー体９２の先端面との間に液体回転室９５が形成され、その液体回転室９５の先端面の中心位置に形成された噴出孔９６から前方に向かって、薬液や色素液等のような液体が散布されるようになっている。
【０００４】
【発明が解決しようとする課題】
上述のような従来の内視鏡用散布具は、前方に向かって散布をするのには適しているが、側方の対象に向かって散布をすることはできない。
【０００５】
そのため、例えば大腸等のような管腔状の臓器内に内視鏡を挿入してその管腔壁に液体を散布しようとすると、内視鏡の先端の向きを相当強引に曲げなければならないなど操作が面倒であり、管腔壁の広い範囲に散布を行おうとすると非常に手間がかかってしまう。
【０００６】
そこで本発明は、経内視鏡的に大腸の内壁面等のような管腔壁に容易に液体散布を行うことができる内視鏡用散布具を提供することを目的とする。
【０００７】
【課題を解決するための手段】
上記の目的を達成するため、本発明の内視鏡用散布具は、液体が通される可撓性の送液管と、送液管の先端開口より大きな径を有し送液管の先端開口から間隔をあけてその前方に配置された流れ方向変換部材とを設けたものである。
【０００８】
流れ方向変換部材は、送液管の先端近傍の内部に固定された連結部材の先端部分に設けられていればよく、送液管の先端開口に対向する流れ方向変換部材の裏面部分に放射状の溝が形成されていると、散布方向を安定させることができる。
【０００９】
そして、送液管の先端開口に対向する流れ方向変換部材の裏面部分が斜め前方に向いた斜面状に形成されていてもよく、或いは斜め前方に向いた凹曲面状又は凸曲面状に形成されていてもよい。また、流れ方向変換部材が送液管の先端部分より太く形成されていてもよい。
【００１０】
また、送液管が一本の可撓性チューブであってもよく、送液管が、可撓性チューブの先端部分に筒状部材を連結して形成されていてもよい。
また、送液管の先端開口と流れ方向変換部材との間の間隔を送液管の手元側から遠隔的に調整するための間隔調整手段を設けてもよい。
【００１１】
【発明の実施の形態】
図面を参照して本発明の実施の形態を説明する。
図１は、本発明の第１の実施の形態の内視鏡用散布具の先端部分を示しており、１は、図示されていない内視鏡の処置具挿通チャンネルに挿脱自在で、例えば直径が１．５〜２．５ｍｍ程度で長さが１〜２ｍ程度の四フッ化エチレン樹脂製の可撓性チューブからなる送液管である。
【００１２】
送液管１の先端開口１ａに対向して、先端開口１ａから例えば０．３〜１ｍｍ程度の隙間を開けて送液管１の外径とほぼ同じ直径の円盤状に形成された流れ方向変換部材２が配置されている。その結果、送液管１の先端開口１ａから噴出した液体は流れ方向変換部材２の裏面２ａにぶつかって向きを変え、軸線周りに放射状に散布される。
【００１３】
流れ方向変換部材２は、送液管１の先端部分の軸線位置に通された連結ロッド３の先端部分に固定的に連結されており、連結ロッド３の基部に一体的に形成された固定ベース４は、送液管１の内面に圧入等の手段により固定されている。
【００１４】
固定ベース４には、II−II断面を示す図２にも示されるように、軸線方向に複数の通液溝４１が形成されていて、送液管１内を手元側（図１において右方）から送られてきた液体が大きな抵抗増を受けることなく先端開口１ａまで達するようになっている。
【００１５】
このように構成された実施の形態の内視鏡用散布具は、送液管１に手元側から送り込まれた薬液や色素液等が、その先端開口１ａから前方に向かって噴出した後、流れ方向変換部材２の裏面２ａにぶつかって向きを変え、軸線周りに放射状に散布される。
【００１６】
したがって、送液管１を内視鏡の処置具挿通チャンネルに通して、経内視鏡的に大腸の内壁面等のような管腔壁に向かって容易に液体散布を行うことができ、管腔壁全体に一様に散布することができる。
【００１７】
図３は、本発明の第２の実施の形態の内視鏡用散布具の流れ方向変換部材２を示しており、送液管１の先端開口１ａに対向する裏面２ａ部分に放射状に溝が形成されている。
【００１８】
したがって、裏面２ａにぶつかって散布される液体の飛ぶ方向が溝によって規制され、より一様に放射状に散布される。なお、このような放射状の溝は、以下の各実施の形態において、適宜採用することができる。
【００１９】
図４は本発明の第３の実施の形態の内視鏡用散布具の先端部分を示しており、流れ方向変換部材２の裏面２ａを斜め前方に向かう斜面状に形成したものである。したがって、裏面２ａは略円錐面になっている。
【００２０】
その結果、送液管１の先端開口１ａから噴出して流れ方向変換部材２の裏面２ａにぶつかった液体が斜め前方に向かって放射状に散布され、用途に応じてこのような形状のものを選択使用することができる。
【００２１】
図５は本発明の第４の実施の形態の内視鏡用散布具の先端部分を示しており、流れ方向変換部材２の裏面２ａを斜め前方に向かう凹曲面状に形成したものである。このように構成することにより液体が凹面に沿って放出され、散布方向が安定する。
【００２２】
図６は本発明の第５の実施の形態の内視鏡用散布具の先端部分を示しており、流れ方向変換部材２の裏面２ａを斜め前方に向かう凸曲面状に形成したものである。このように構成することにより、液体が前後方向にも広がりをもって軸線周りに放射状に散布される。そして、図７に示されるように凸曲面の半径等を適宜の大きさと向きに設定することにより、任意の散布状態を得ることができる。
【００２３】
図８は本発明の第６の実施の形態の内視鏡用散布具の先端部分を示しており、流れ方向変換部材２の直径を送液管１の外径より大きく形成したものである。このように構成することにより、放射状の散布状態をより安定させることができる。
【００２４】
図９は本発明の第７の実施の形態の内視鏡用散布具の先端部分を示しており、送液管１を、可撓性チューブ単独ではなく、可撓性チューブの先端部分に金属製又は硬質のプラスチック製の筒状部材１１を連結固着して構成し、その筒状部材１１に固定ベース４を固定したものである。
【００２５】
図１０は、本発明の第８の実施の形態の内視鏡用散布具を示しており、送液管１の先端開口１ａと流れ方向変換部材２との間の間隔を送液管１の手元側から遠隔的に任意に調整できるようにしたものである。
【００２６】
この実施の形態においては、先端に流れ方向変換部材２が固定的に取り付けられた連結ロッド３が送液管１の軸線方向に進退自在に配置されており、送液管１内に全長にわたって挿通配置された操作ワイヤ５の先端部分が連結ロッド３に連結されている。
【００２７】
内視鏡用散布具の手元側に設けられた操作部６（間隔調整手段）には、送液管１の基端に連結された筒状本体６１の側面に注入口金６２が突設されており、そこに注入具７０を接続して、送液管１内に薬液や色素液等を送り込むことができる。
【００２８】
また、操作ワイヤ５の基端に連結された操作ロッド６３が筒状本体６１から手元側に突出していて、操作ロッド６３の突端に取り付けられた操作ボタン６４を軸線方向に進退操作することにより、送液管１内で操作ワイヤ５を進退させ、それによって流れ方向変換部材２を軸線方向に進退させることができる。６５は圧縮コイルスプリング、６６はシール用のＯリングである。
【００２９】
このような構成により、操作ボタン６４を指先で操作して、送液管１の先端開口１ａと流れ方向変換部材２との間隔を調整し、散布範囲や散布量等を使用中に任意に調整することができる。
【００３０】
また、この実施の形態においては、送液管１の先端開口１ａ部分が流れ方向変換部材２の裏面２ａの向きに沿ってラッパ状に形成されている。ただし、逆に図１１に示されるように送液管１の先端開口１ａを細く絞って送液圧を高めるように構成してもよい。
【００３１】
【発明の効果】
本発明によれば、可撓性の送液管の先端開口より大きな径を有する流れ方向変換部材を、送液管の先端開口から間隔をあけてその前方に配置したことにより、液体を軸線周りに放射状に散布して、大腸の内壁面等のような管腔壁に対して経内視鏡的に容易に液体散布を行うことができる。
【図面の簡単な説明】
【図１】本発明の第１の実施の形態の内視鏡用散布具の先端部分の側面断面図である。
【図２】本発明の第１の実施の形態の図１におけるII−II断面図である。
【図３】本発明の第２の実施の形態の流れ方向変換部材の部分斜視図である。
【図４】本発明の第３の実施の形態の内視鏡用散布具の先端部分の側面断面図である。
【図５】本発明の第４の実施の形態の内視鏡用散布具の先端部分の側面断面図である。
【図６】本発明の第５の実施の形態の内視鏡用散布具の先端部分の側面断面図である。
【図７】本発明の第５の実施の形態の内視鏡用散布具の先端部分の変形例の側面断面図である。
【図８】本発明の第６の実施の形態の内視鏡用散布具の先端部分の側面断面図である。
【図９】本発明の第７の実施の形態の内視鏡用散布具の先端部分の側面断面図である。
【図１０】本発明の第８の実施の形態の内視鏡用散布具の側面断面図である。
【図１１】本発明の第９の実施の形態の内視鏡用散布具の先端部分の側面断面図である。
【図１２】従来の内視鏡用散布具の先端部分の側面断面図である。
【符号の説明】
１  送液管
２  流れ方向変換部材
３  連結ロッド
４  固定ベース
５  操作ワイヤ
６  操作部
【図１】
0004272770.tif 000002
【図２】
0004272770.tif 000003
【図３】
0004272770.tif 000004
【図４】
0004272770.tif 000005
【図５】
0004272770.tif 000006
【図６】
0004272770.tif 000007
【図７】
0004272770.tif 000008
【図８】
0004272770.tif 000009
【図９】
0004272770.tif 000010
【図１０】
0004272770.tif 000011
【図１１】
0004272770.tif 000012
【図１２】
0004272770.tif 000013